(57)【要約】【課題】干草や牧草、敷き藁などを掬い取るような作業に利用される農業用フォークをより利便性に優れたものとする。【解決手段】柄１の先端に固定する首部２から、所定幅間隔で数本の爪３，３を先方に向けて突出させて、牧草や飼葉の取り扱いに使用する農業用フォークにおいて、複数の爪３を直線的に先方に突出させ、中間位置において先方部分３ｂを鈍角で直線的に折曲させる。爪３の折曲位置から基方までの寸法は、折曲位置から先端までの寸法よりも僅かに大きい程度のほぼ中間位置とし、爪３の折曲角度αは略１１０度程度とするのが好ましい。【選択図】　図１
0003097690.tif 000002
【実用新案登録請求の範囲】
【請求項１】
基端の首部から所定幅間隔で数本の爪を先方に向けて突出させて、牧草や飼葉の取り扱いに使用する農業用フォークにおいて、複数の爪を直線的に先方に突出させ、中間位置において爪の先方部分を基方部分に対して鈍角でかつ直線的に折曲させたことを特徴とする農業用フォーク。
【請求項２】
爪の折曲位置から基方までの寸法が、折曲位置から先端までの寸法よりも僅かに大きいほぼ中間位置で爪を折曲させたものである請求項１記載の農業用フォーク。
【請求項３】
鈍角に折曲させる爪の折曲角度αが、略１１０度である請求項１又は２記載の農業用フォーク。
【考案の詳細な説明】
【０００１】
【考案の属する技術分野】
この考案は、主として牧草や干草の取り扱いに利用される農業用のフォークに関する考案である。
【０００２】
【従来の技術】
従来、飼葉や干草の取り扱いなどに利用されるフォークは、首部から先方に向けて突出させた複数の爪を全体に緩く湾曲させ、この湾曲によって牧草や干草を掬い取るようにして取り扱うことができるようにしている。
一般的な農工具として、熊手のように首部から先方に突出させた多数の爪の先端部分のみを略直角に折曲することによって、草などをかき集めるために利用されるものが知られている。その他、備中と通称されるように柄の先端に、柄と直交する方向に複数の爪を突出させ、土起こしのために利用される農耕具も知られている。
【０００３】
【考案が解決しようとする課題】
従来から使用されている、一般的なフォーク牧草などを掬い上げることができるように爪を緩く湾曲させている。このような従来のフォークは、牧草や敷き藁などを掬い取って移動させるのには便利であるが、例えば敷き藁をかき集めるような作業では湾曲に逃げるため、使用することができなかった。したがって、その場合は、別に熊手などを利用していた。勿論、熊手やほうきによって牧草や敷き藁を掬い取ることはできない。
【０００４】
上記、従来の農業用フォークの欠点に鑑み、従来のフォークとしての作業は勿論、草などをかき集めるような作業にも利用することができる、より汎用性のある農耕具を提供することを目的とするものである。
【０００５】
【課題を解決するための手段】
上記目的を達成するため本考案は、柄１の先端に装着する首部２から所定幅間隔で数本の爪３を先方に向けて突出させることによって、牧草や飼葉の取り扱いに使用する農業用フォークにおいて、複数の爪３，３を直線的に先方に突出させ、中間位置において鈍角で直線的に折曲させる。爪３を折曲させる位置は、爪３のほぼ中間位置あるいは中間位置よりもやや前方位置とし、折曲角度αは鈍角、具体的には１１０度程度とする。
【０００６】
【考案の実施の形態】
以下、本考案に係る農業用フォークの実施形態を、添付の図面に基づいて説明する。
図１は、本考案に係る農業用フォーク全体の斜視図、図２は正面図である。フォークは、一般に広い範囲の飼葉や牧草を取り扱うものであることから、比較的長寸法の柄１が採用される。長寸法の柄の先端には、首部２から枝分かれさせて複数の爪３，３がほぼ一定幅Ｗ，Ｗ間隔で直線的に先方に向けて突出させ、その途中で先方部分を直線的に折曲させる。
【０００７】
すなわち、爪３の折曲位置よりも基方部分３ａは、柄１の直線方向と一致し、爪３の先方部分３ｂは略１１０度程度の鈍角に折曲する。これにより、従来の湾曲するフォークとの比較において、首部２に対する爪３の先端位置がほぼ同じ程度のところに位置するとともに、爪３の先方部分３ｂの角度が従来のフォークにおける爪先の接線方向に近い方向となる。これにより、干草などを掬い取る作業を従来のフォークとほぼ同じ感覚で行なうことができる。
【０００８】
このとき本考案では、爪３の中間位置まで直線的であるため折曲位置までの間で、掬ったものをしっかりと保持することができる。一方、爪を湾曲させた従来のフォークでは、滑り落ち易い。すなわち、従来のフォークでは、掬ったものを放り投げるような作業をするのに適しているのに対し、本考案に係るフォークでは、掬った状態で持ち運びするような作業に好適である。
【０００９】
次に、作業場に散らばっている干草などをかき集めようとする場合、従来の湾曲したフォークでは、かき集めたものを先方に押し出そうとする力が強く作用するため利用することができない。そのため、別の熊手などのような道具を準備しておく必要があった。これに対し、本考案に係る農業用フォークでは、かき集めたものを保持する力が強いためかき集め作業を行なうことができる。
【００１０】
さらに、かき集め作業について、従来の熊手などでは、爪先の折曲寸法が小さいさめ、多くのものをかき集めることができないのが普通であるが、本考案のフォークを利用すると、折曲位置から爪の先端までの寸法が大きいため多量のものをかき集めることができる。このことは、例えば牧場の厩舎などで敷き藁をかき集めて取り除くような作業を能率的に行なう上で極めて有効である。
【００１１】
図示例のフォークでは、爪３の数は４本で、一定間隔Ｗに配置しているが、これ以外の爪の数であって、爪３と３の間隔が一定でないものであっても良い。また、爪３全体の長さも特に限定されるものではなく、例えば幅が広く多数の爪を供えるものであっても良い。これは、具体的な作業目的や使用者の体力を考慮して種々変更し得るものである。ただし、爪３の太さは、単なる熊手やほうきのように細いものではなく、従来の農業用フォークと同様１０ｍｍ程度の太さを有し、ある程度大きな荷重が掛かる作業に耐えるものとする。
【００１２】
なお、爪３の先方部分３ａの折曲角度αは、特に１１０度に限定されるものではない。すなわち、爪３の先方部分３ａは、柄１の方向に対してある程度の鈍角をなすものであって、牧草や干草を掬い取ることができるものであること。さらに、散逸した敷き藁などをかき集める場合に、支障なく、かき集めることができる範囲の角度であること、の二つの要件を満たす範囲で、自由な折曲角度に設定することができるものである。その場合に、使用に便利な中心的な角度αが、本考案者の研究では１１０度程度であった。
【００１３】
フォークを使用する場合、フォークを寝かせた角度（柄を水平に近い角度）で使用するのが普通である。本考案に係る農業用フォークを利用して、敷き藁などをかき集める作業を行なう場合、柄を少し立てた状態で使用するのがより効果的である。
【００１４】
【考案の効果】
請求項１記載の本考案農業用フォークによれば、従来のフォークのように干草や敷き藁を掬い上げて移動させるといったフォーク本来の作業を、従来のフォークと同じ感覚で行なうことができる。さらに、従来のフォークでは行なうことが困難であった、散逸した牧草、干草や敷き藁をかき集めるといった作業を能率的に行なうことができる効果がある。
【００１５】
請求項２記載の考案によれば、掬い上げたものを保持する作用が大きいため、敷き藁などを掬ってそのまま運ぶような作業に適しているとともに、多くのものをかき集めることができ、厩舎作業などに効果的に利用することができる。
【００１６】
請求項３記載の考案によれば、
爪の折曲角度を１１０度程度とすることによって、掬い取る作業と、かき集める作業の両方の作業に能率的に利用することができる。
【図面の簡単な説明】
【図１】本考案の実施例を示す、農業用フォーク全体の斜視図、
【図２】図１に示す、農業用フォークの正面図、
【図３】図１に示す、農業用フォークの平面図。
【符号の説明】
１…柄、　２…首部、　３…爪、　３ａ…基方部分、　３ｂ…先方部分。
【図１】
0003097690.tif 000003
【図２】
0003097690.tif 000004
【図３】
0003097690.tif 000005